(57)【要約】【課題】  補正パラメータの相違による処理結果の違いを容易に視認可能とする。【課題を解決するための手段】  メイン表示部５１には、基準画像表示領域５５と第１〜第４表示領域５６〜５９が設けられる。各表示領域５５〜５９には、個別の補正パラメータに基づき画像補正がなされた補正対象画像が部分表示される。基準画像表示領域５５には、固定の補正パラメータに基づき画像補正がなされた補正対象画像が部分表示される。第１〜第４表示領域５６〜５９のうち選択された領域において、補正パラメータが変更されると、変更後の補正パラメータに基づき画像補正が施され、当該選択された領域の画像が更新表示される。【選択図】        図５
2005275977.tif 000002
【特許請求の範囲】
【請求項１】
モニタの画像表示エリア内に補正対象画像を表示する画像表示方法であって、
前記画像表示エリアは、前記補正対象画像のほぼ同一の領域を部分表示する複数の部分画像表示領域を含み、各部分画像表示領域において、個別の補正パラメータに基づき画像補正がなされた前記補正対象画像を表示することを特徴とする画像表示方法。
【請求項２】
選択された前記部分画像表示領域の表示範囲をハイライト表示する選択領域バーを、前記画像表示エリアの周辺部に表示することを特徴とする、請求項１記載の画像表示方法。
【請求項３】
前記複数の部分画像表示領域の少なくとも１つは、固定の補正パラメータに基づき画像補正された前記補正対象画像を部分表示する基準画像表示領域であることを特徴とする、請求項１又は２に記載の画像表示方法。
【請求項４】
前記基準画像表示領域を示すインジケータを、前記画像表示エリアの周辺部に表示することを特徴とする、請求項３記載の画像表示方法。
【請求項５】
基準画像表示領域以外の前記部分画像表示領域と、前記基準画像表示領域とが表示されるエリアを切り替え可能とすることを特徴とする、請求項３又は４記載の画像表示方法。
【請求項６】
前記基準画像表示領域を複数設けたことを特徴とする、請求項３〜５のいずれか１項に記載の画像表示方法。
【請求項７】
前記基準画像表示領域は、基準画像表示領域以外の全ての前記部分画像表示領域と隣接することを特徴とする、請求項６記載の画像表示方法。
【請求項８】
前記部分画像表示領域に対応する前記補正パラメータの値を並べて表示する情報ウインドウを、少なくとも１つ表示することを特徴とする、請求項１〜７のいずれか１項に記載の画像表示方法。
【請求項９】
補正対象画像を画像表示エリア内に表示するモニタと、前記補正対象画像のほぼ同一の領域を部分表示する複数の部分画像表示領域を前記画像表示エリアに形成する手段と、各部分画像表示領域において、個別の補正パラメータに基づき画像補正がなされた前記補正対象画像を表示する手段と、を備えたこと特徴とする画像表示装置。
【請求項１０】
補正対象画像のほぼ同一の領域を部分表示する複数の部分画像表示領域を、モニタ内の画像表示エリアに形成する手段と、各部分画像表示領域において、個別の補正パラメータに基づき画像補正がなされた前記補正対象画像を表示する手段として、コンピュータ装置を機能させることを特徴とする画像表示プログラム。
【発明の詳細な説明】
【技術分野】
【０００１】
本発明は、デジタルカメラによる撮影等で得られた画像に対して種々の画像処理を行うために、パーソナルコンピュータ等の情報処理端末に備えられたモニタに画像を表示する方法、装置及びプログラムに関する。
【背景技術】
【０００２】
【特許文献１】特開平１１−１３６５２８号公報
【０００３】
パーソナルコンピュータ（ＰＣ）等の情報処理端末を用いて、デジタル画像のカラーバランスやトーンカーブ等を補正することで、デジタル画像の画質を向上させることができる。例えば、デジタルカメラを用いた撮影では、デジタルカメラからＰＣに画像データが送られる。オペレータは、ＰＣに備え付けのモニタに表示される画像を観察しながら各種の補正パラメータを変更することで、オペレータの意図に適合した仕上がりの画像を得ることができる。また、ホワイトバランス処理がなされていない原画像データ（ＲＡＷデータ）を出力可能なデジタルカメラを用いることにより、デジタルカメラ側で色情報を落とすことなくＰＣ側で画像補正を行うこともできる。
【０００４】
効率良く画像補正を行う手法として、上記特許文献１には、複数の異なる補正パラメータに対応する複数のサンプル画像をモニタに表示し、選択されたサンプル画像の補正パラメータで画像処理を行うことが記載されている。これにより、オペレータは、補正パラメータの相違による画像補正結果の違いを視覚的に判別することができる。
【発明の開示】
【発明が解決しようとする課題】
【０００５】
上記特許文献１に記載の技術では、複数の画像が互いに離れた位置に表示されている。このため、補正パラメータの相違が大きい場合には画像補正結果の違いを判別することができるが、補正パラメータの違いが小さい場合（例えば、微調整時）には、補正結果の相違が判別しにくいという問題がある。特に、結婚式でのスタジオ撮影や商品撮影のように、高画質の画像が要求される場面では、厳密に画像補正を行う必要があり、所望の画像を得るために補正パラメータを小さく変化させる場合が多い。かかる場合には、補正処理前後の画像を確認するために、オペレータは視線を大きく動かす必要があり、画像補正結果の相違を判別しづらくなる。
【０００６】
本発明は上記事情に鑑みなされたものであり、補正パラメータの相違による処理結果の違いを容易に視認可能とする画像表示方法、装置及びプログラムを提供することを目的とする。
【課題を解決するための手段】
【０００７】
補正パラメータの相違による処理結果の違いを明確にするためには、補正対象画像の一部分を取り出して表示することが有効である。そこで、上記目的を達成するために、本発明では、補正対象画像のほぼ同一の領域を部分表示する複数の部分画像表示領域を画像表示エリアに形成し、各部分画像表示領域において、個別の補正パラメータに基づき画像補正がなされた補正対象画像を表示することを特徴とする。選択された部分画像表示領域の表示範囲をハイライト表示する選択領域バーを、画像表示エリアの周辺部に設けることが好ましい。
【０００８】
複数の部分画像表示領域の少なくとも１つを、固定の補正パラメータに基づき画像補正された補正対象画像を部分表示する基準画像表示領域としても良い。この基準画像表示領域は複数設けても良く、基準画像表示領域以外の全ての前記部分画像表示領域と隣接させても良い。また、基準画像表示領域を示すインジケータを、画像表示エリアの周辺部に表示することが好ましい。さらに、基準画像表示領域以外の部分画像表示領域と、基準画像表示領域とが表示されるエリアを切り替え可能とすることが好ましい。
【０００９】
部分画像表示領域に対応する補正パラメータの値を並べて表示する情報ウインドウを、少なくとも１つ表示することも可能である。
【発明の効果】
【００１０】
本発明によれば、補正対象画像のほぼ同一の領域を部分表示する複数の部分画像表示領域を画像表示エリアに形成し、各部分表示領域において、個別の補正パラメータに基づき画像補正がなされた補正対象画像を表示するようにしたから、補正パラメータの相違による処理結果の違いを明確にすることができる。また、オペレータの視線を大きく動かすことなく、補正処理前後の画像を比較することができるので、補正処理を効率よく行うことが可能となる。
【００１１】
また、選択された部分画像表示領域の表示範囲をハイライト表示する選択領域バーを、画像表示エリアの周辺部に設けたから、どの領域の画像が補正対象であるかを容易に視認することができる。
【００１２】
複数の部分画像表示領域の少なくとも１つを、固定の補正パラメータに基づき画像補正された補正対象画像を部分表示する基準画像表示領域としたから、基準の画像と比較して画像検定を行うことができる。また、基準画像表示領域は複数設け、基準画像表示領域以外の全ての前記部分画像表示領域と隣接させたから、補正対象となる全ての部分画像表示領域に表示される画像と基準画像とを比較することができる。さらに、基準画像表示領域を示すインジケータを、画像表示エリアの周辺部に表示したから、どの領域の画像が基準画像であるかを容易に視認することができる。また、基準画像表示領域以外の部分画像表示領域と、基準画像表示領域とが表示されるエリアを切り替え可能としたから、オペレータの操作により、任意の補正対象画像と基準画像とを並べて表示することができる。
【００１３】
部分画像表示領域に対応する補正パラメータの値を並べて表示する情報ウインドウを、少なくとも１つ表示するようにしたから、補正パラメータの値を容易に認識することができる。
【発明を実施するための最良の形態】
【００１４】
図１は、デジタルカメラ１０と画像補正用ＰＣ３０とで構成される撮影システムのブロック図である。画像補正用ＰＣ３０としては、本発明に係る画像表示プログラムを含む、画像補正プログラムがインストールされた市販タイプのパーソナルコンピュータを用いることができる。デジタルカメラ１０と画像補正用ＰＣ３０は、通信ケーブル１１を介して互いに接続され、撮影制御データや画像データを送受信することができる。通信ケーブル１１は、例えばＵＳＢ(Universal Serial Bus)やＩＥＥＥ１３９４に準拠したものが用いられる。通信ケーブル１１の代わりに、無線通信手段を用いてデータの接受を行ってもよい。
【００１５】
デジタルカメラ１０の各部は、データバス１２を介して互いに接続され、ＣＰＵ１３によってその動作が総括的に制御される。ＲＯＭ１４には、デジタルカメラ１０を動作するためのプログラムが記録されており、デジタルカメラ１０の動作時にＲＡＭ１５にロードされる。撮像部１６には、周知の撮影レンズやＣＣＤ等が備えられ、被写体の光学像を光電変換してデジタルの画像データを生成する。絞りやシャッタ速度などの撮影条件は、操作部１７に設けられた各種の設定ボタンを操作することで設定される。画像補正用ＰＣ３０において撮影条件を決定し、通信ケーブル１１を介して設定情報をデジタルカメラ１０に送ることで、撮影条件を設定しても良い。さらに、撮影制御用の別のＰＣをデジタルカメラ１０に接続することもできる。
【００１６】
撮像部１６から出力された画像データは、ＲＡＭ１５にバッファされる。この画像データは、ホワイトバランス処理等の画像補正がなされていない原画像データ（ＲＡＷデータ）であり、各色毎に１２ビットで表される階調値を持った多数の画素データから構成される。画像処理回路１８は、原画像データに対して、各色毎の階調値を８ビットに縮小するとともに、予め機種毎に設定された条件にてホワイトバランス（ＷＢ）処理や階調変換処理等を行い、画像補正済みの画像データを出力する。圧縮／伸張処理回路１９は、画像補正済みの画像データをＪＰＥＧ(Joint Photographic Codintg Expert Group) で定められたフォーマットに従い圧縮して、圧縮画像データを出力する。また、画像補正済みの画像データを間引き演算することで、例えば1280×960 ピクセルのＪＰＥＧ画像データ（サムネイル画像データ）を生成する。
【００１７】
原画像データ又は圧縮画像データは、サムネイル画像データとともに、入出力Ｉ／Ｆ２２を介して画像補正用ＰＣ３０に送られる。ＬＣＤ２３には、撮影モード時には被写体像が連続的に表示され、再生モード時には記録メディア２１内の画像が再生表示される。
【００１８】
なお、原画像データと圧縮画像データの何れを出力するかは、デジタルカメラ１０の撮影条件の設定時に決定することができる。また、原画像データと圧縮画像データの両方を出力しても良い。以下、本実施形態では、デジタルカメラ１０から原画像データ及びサムネイル画像が出力される場合について説明する。また、本実施形態では、入出力Ｉ／Ｆ２２を介して原画像データを画像補正用ＰＣ３０に直接送信しているが、原画像データを記録メディア２１に記録しておき、この記録メディア２１を画像補正用ＰＣ３０にセットすることで、原画像データを送るようにしても良い。
【００１９】
画像補正用ＰＣ３０は、デジタルカメラ１０から送られた原画像データに基づいて画像をモニタ３１に再生表示するとともに、キーボード３２やマウス３３などの入力デバイスからの操作信号に基づいて種々の画像補正を行う。画像補正用ＰＣ３０の各部は、データバス３４を介して互いに接続され、ＣＰＵ３６によってその動作が総括的に制御される。デジタルカメラ１０からの画像データは、入出力Ｉ／Ｆ３７、データバス３４を介してハードディスク等の外部記憶装置３８に記録される。キーボード３２やマウス３３などの入力デバイスは、後述の画像補正処理時の他、デジタルカメラ１０の撮影制御を行う場合にはその撮影条件を設定する際に操作される。
【００２０】
画像補正プログラムは、ＣＤ−ＲＯＭやＤＶＤ−ＲＯＭ等の記録媒体やインターネット等を介して画像補正用ＰＣ３０の外部記憶装置３８にインストールされる。キーボード３２やマウス３３を操作して画像補正プログラムを実行すると、このプログラムがＲＡＭ３９に読み出される。画像補正プログラムが実行されると、まず、外部記憶装置３８に記録された原画像データに対応するサムネイル画像がモニタ３１に一覧表示される。
【００２１】
オペレータがキーボード３２やマウス３３を操作して、補正すべき画像を選択すると、選択された画像に対応する原画像データがＲＡＭ３９に読み出される。そして、画像補正プログラムで予め定められた初期条件にて、例えば各色１６ビットの階調値を持ったＴｉｆｆ(Tagged Image File Format)形式の表示用画像データに変換され、図２に示す第１補正画面４０がモニタ３１に表示される。
【００２２】
図２に示すように、第１補正画面４０は、画像表示領域４２と、ホワイトバランスや階調補正等に用いられる補正パラメータを変更するための作業領域（図示せず）を含む。画像表示領域４２には、選択画像（補正対象画像）４１が表示されており、キーボード３２やマウス３３を操作して、ホワイトバランス補正や階調補正等の補正パラメータを変更する。このとき、補正対象画像４１に対応する原画像データに対して、変更後の補正パラメータにて画像補正が行われ、再び表示用画像データが生成される。これにより、補正パラメータの変更が反映された画像が、画像表示領域４２に表示される。以下、原画像データに画像補正を行い、表示用画像データとして出力する処理を「現像処理」と称する。
【００２３】
また、モニタ３１には、種々のコマンドを入力するためのボタン４３〜４６が表示されている。マウス３３を操作して「ファイル」ボタン４３の上にカーソル４７を移動させ、クリック操作がなされると、外部記憶装置３８に記録された原画像データに対応するサムネイル画像がモニタ３１に一覧表示され、画像補正を行うべき画像を選択することができる。「画像を保存」ボタン４４がクリック操作されると、画像表示領域４２に表示されている画像をファイル出力する。「プリント」ボタン４５がクリック操作されると、画像表示領域４２に表示されている画像をプリント出力する。もちろん、図２に示された以外のコマンドを入力するためのボタンやアイコンを表示しても良い。
【００２４】
「スプリット検定」ボタン４６がクリックされると、補正対象画像４１の一部の領域を複数並べて表示する第２補正画面（領域分割検定画面）５０に切り替えられる。図３に示すように、第２補正画面５０には、メイン表示部５１、サブ表示部５２と、パラメータ調整領域５３とが表示される。
【００２５】
メイン表示部５１は互いに隣接する複数の表示領域５５〜５９に分けられており、各表示領域５５〜５９では、それぞれ独立の補正パラメータで現像処理がなされた補正対象画像のほぼ同じ部分が表示される。図３に示す例では、メイン表示部５１には基準画像表示領域５５と第１〜第４表示領域５６〜５９の５つの領域に分けられ、仮想線６０を境界として互いに隣接する。なお、この仮想線６０は、各表示領域５５〜５９の境界を明示するために、便宜上設けられたものであり、実際は第２補正画面５０に表示されることはない。
【００２６】
基準画像表示領域５５、及び、第１〜第４表示領域５６〜５９に表示される画像は、互いに個別の補正パラメータにより現像処理がなされた画像であり、従って対応する表示用画像データが異なっている。基準画像表示領域５５は、例えばメイン表示部５１の最も左側に設けられ、第１補正画面４０にて表示された補正対象画像４１に対応する。この補正対象画像４１に対応する表示用画像データのうち、サブ表示部５２に設けられた矩形状のカーソル６１で囲まれた領域に対応する画像データが読み出され、補正対象画像４１の一部分が基準画像表示領域５５に表示される。また、第２補正画面５１にて調整された補正パラメータにて原画像データを現像処理することで得られる表示用画像データのうち、サブ表示部５２内の矩形状のカーソル６１で囲まれた領域に対応する画像データが読み出され、第１〜第４表示領域５６〜５９に補正後の画像が表示される。従って、メイン表示部５１には、それぞれ個別のパラメータで画像補正が施され、同一のカーソル６１で囲まれた範囲の画像が並べて表示される。
【００２７】
メイン表示部５１の上方には、メイン表示部５１の幅に対応した長さを持った領域表示バー６３が表示される。この領域表示バー６３は、画像補正の対象となる表示領域（図３の例では第１表示領域５６）に対応する部分６３ａがハイライト表示される。これにより、オペレータは画像補正の対象となる表示領域を容易に認識することができる。また、メイン表示部５１の下方には、補正対象となる表示領域の番号を表示するスプリット番号ボックス６５が表示されており、キーボード３２を操作してスプリット番号ボックス６５内の番号を変えることで、補正対象領域を切り替えることができる。このとき、ハイライト部分６３ａの位置も切り替えられる。あるいは、メイン表示部５１の所望の領域にカーソル４７を移動させ、クリック操作等の所定の操作を行うことで、補正対象となる領域を切り替えるようにしても良い。
【００２８】
領域表示バー６３の上部には、基準画像表示領域５５に対応する領域を示すためのインジケータ６６が表示される。後述するように、基準画像表示領域５５と第１〜第４表示領域５６〜５９の場所を入れ替えた場合には、インジケータ６６が図中左右方向に移動して、基準画像表示領域５５に対応する場所に表示される。また、基準画像表示領域５５を複数設けた場合には、各基準画像表示領域５５に対応するように、複数のインジケータ６６が表示される。これにより、オペレータは基準画像が表示される領域を容易に識別することができる。
【００２９】
メイン表示部５１の下方には、各表示領域５５〜５９の表示位置を切り替えるための切替ボタン６７ａ，６７ｂが表示される。例えば、第１表示領域５６が選択（ハイライト表示）された状態で、左側の切替ボタン６７ａがクリックされると、第１表示領域５６とその左側の領域（すなわち、基準画像表示領域５５）との位置が切り替えられる。同様に、第１表示領域５６が選択された状態で、右側の切替ボタン６７ｂがクリックされると、第１表示領域５６と第２表示領域５７の表示位置が切り替えられる。
【００３０】
サブ表示部５２には、補正対象画像４１の全体が縮小表示される。また、サブ表示部５２の内部には矩形状のカーソル６１が設けられ、このカーソル６１内の領域がメイン表示部５１に表示される。また、メイン表示部５１の下側に設けられたスクロールバー６８を移動することにより、メイン表示部５１での補正対象画像４１の表示範囲を変えることができる。
【００３１】
パラメータ調整領域５３には、色調補正、階調補正、ホワイトバランス（ＷＢ）、特殊処理の４タイプの調整画面が設けられ、上部に設けられた切り替えタブ７０を選択することで各調整画面に切り替えられる。図３に示すように、色調補正用のタブが選択されると、パラメータ調整領域５３には色調補正に対応する調整画面が表示され、カラーバランスやブライトネス、コントラスト等のパラメータを調整することができる。
【００３２】
切り替えタブ７０の下方には、「条件保存」ボタン７１と「呼出」ボタン７２とが設けられている。「条件保存」ボタン７１がクリックされると、現在の補正パラメータの値を含む補正条件ファイルが、任意のファイル名で保存される。「呼出」ボタン７２がクリックされると、既に保存されている補正条件ファイルの一覧が表示され、選択された補正条件ファイルに含まれる補正パラメータに基づき、補正対象画像４１の原画像データを現像処理してメイン表示部５１に表示する。既に補正処理を行った画像と同様の条件にて画像補正を行いたい場合には、補正条件ファイルを読み出して画像補正を行った後に微調を行えばよいため、画像補正を効率よく行うことができる。
【００３３】
パラメータ調整領域５２の中央部には、カラーバランス（ＲＧＢの各色、色相、彩度）、ブライトネス、コントラストといった補正パラメータの値が表示されている。補正パラメータの値は、各々に設けられた入力ボックス７３に数値を直接入力する、あるいはインジケータ７４を図中左右に移動することで、変更することが可能である。各々の補正パラメータが変更されると、補正対象画像４１に対応する原画像データに対して現像処理が施され、補正後の画像がメイン表示部５１に表示される。
【００３４】
パラメータ調整領域５３の下部には、「印刷」ボタン７６，「ＯＫ］ボタン７７及び「キャンセル」ボタン７８が設けられている。「印刷」ボタン７６がクリックされると、メイン表示部５１に表示されている画像がプリント出力される。「ＯＫ」ボタン７７がクリックされると、図２に示す第１補正画面４０に戻り、選択された表示領域に対応する画像が表示される。「キャンセル」ボタン７８がクリックされると、補正パラメータによる処理結果を反映させることなく、基準画像表示領域５５に対応する画像が第１補正画面４０に表示される。
【００３５】
階調補正用のタブが選択されると、トーンカーブやガンマ補正のパラメータ値を変更することができる。また、ＷＢ用のタブが選択されると、各基本色毎の濃度ヒストグラムが表示されるとともに、光源や色温度を変更することができる。さらに、特殊処理用のタブが選択されると、ハイパートーン処理やハイパーシャープネス処理で用いられる各種パラメータを調整することができる。
【００３６】
スプリット検定モードでの動作について、図４のフローチャートを用いて説明する。「スプリット検定」ボタン４６が選択されると、第１補正画面４０に表示されている補正対象画像４１に対応する原画像データをＲＡＭ３９に読み込んだ後（Ｓ１）、第１〜第４表示領域５６〜５９に対応する表示用画像データをＲＡＭ３９に展開することで、メイン表示部５１に表示すべき画像の表示用画像データを生成する（Ｓ２）。なお、基準画像表示領域５５に表示すべき画像の表示用画像データは、第１補正画面４０を表示する際にＲＡＭ３９に読み込まれているものをそのまま利用することができる。また、第２補正画面５０が表示されている間は、基準画像表示領域５５に表示される画像の補正パラメータの値は固定される。
【００３７】
次に、補正エリア（カーソル６１で囲まれる領域）に対応するエリアの表示用画像データが読み出され（Ｓ３）、図３で示すように、複数の部分画像が各表示領域５５〜５９に並べて表示される（Ｓ４）。スプリット検定モードの初期状態では、同じ補正パラメータにて画像補正が施されているため、図３に示すように、各表示領域５５〜５９に表示される画像は同じである。
【００３８】
オペレータは、図３で示す第２補正画面５０を観察しながら、各表示領域５５〜５９で表示される補正対象画像４１の補正エリアを変更したり、第１〜第４表示領域５６〜５９において補正パラメータを変更して画像補正を行うことができる。各表示領域５５〜５９で表示される補正エリアが変更される（Ｓ５においてＹＥＳ）と、ステップＳ３に戻されて、変更後の補正エリアに対応する表示用画像データが読み出され、各表示領域５５〜５９内の画像が更新表示される。
【００３９】
一方、表示範囲が変更されない（Ｓ５においてＮＯ）場合は、ステップＳ６に移行し、補正パラメータが確定、すなわち「ＯＫ」ボタン７７、あるいは「キャンセル」ボタン７８がクリックされたか否かが判定される。「ＯＫ」ボタン７７、あるいは「キャンセル」ボタン７８が操作された（Ｓ６においてＹＥＳ）場合はスプリット検定モードが終了し、図２の第１補正画面４０が表示される。そうでない場合は、ステップＳ７に移行し、現在アクティブな表示領域において補正パラメータが変更される。変更後の補正パラメータに基づき、原画像データに対して現像処理が施され、アクティブな表示領域に対応する表示用画像データを更新する（Ｓ８）ことで、補正パラメータの変更が第２表示画面５０に反映される。
【００４０】
第２補正画面５０の一例を図５に示す。図５の例では、各表示領域５５〜５９における補正パラメータの値は互いに異なっており、表示される画像の色合いやコントラスト、ホワイトバランス等の仕上がりも互いに異なる。また、領域表示バー６３上のハイライト領域６３ａが第２表示領域５７の上側に表示されており、画像補正を行うべき表示領域が第２表示領域５７であることを容易に視認することができる。さらに、インジケータ６６が表示される位置から、基準画像が表示される基準画像表示領域５５が左端に表示されているのを容易に視認できる。
【００４１】
オペレータは、パラメータ調整領域５３に設けられた各種補正パラメータを変更して画像補正を行う。補正パラメータが変更されると、変更後の補正パラメータにて現像処理が施され、表示用画像データが生成される。そして、フレーム６１に対応する補正エリアの部分が第２表示領域５７に更新表示される。
【００４２】
また、マウス３３を操作して、フレーム６１の大きさを変化させることで、メイン表示部５１に表示される画像を拡大・縮小することができる。例えば、図６に示すように、フレーム６１のサイズを小さくすると、各表示領域５５〜５９に表示される画像が拡大表示される。このとき、メイン表示部５１の下側と右側にそれぞれ設けられたスクロールバー６８，６９を移動することにより、メイン表示部５１での補正対象画像４１の表示範囲を変えることができる。なお、図面の簡略化を図るために、図６以降の図面に関してはパラメータ調整領域５３を省略する。
【００４３】
このように、補正対象画像４１の一部分を取り出して複数の領域で並べ、各領域において独立の補正パラメータで補正処理された画像を表示することで、オペレータが補正したい部分のみを重点的に補正することができる。図６の例では、女性の顔部分の色合いやホワイトバランス等を微調したい場合に、第１〜第４表示領域５６〜５９の間で補正パラメータの値をわずかに変化させる。オペレータは、視線を大きく動かすことなく、補正処理結果前後の画像を容易に視認することができるので、補正作業を効率よく行うことが可能となる。
【００４４】
また、基準画像表示領域５５と第１〜第４表示領域５６〜５９の間で表示位置を切り替えても良い。図７に示す例では、図５の例と比較して基準画像表示領域５５と第１表示領域５６との位置が入れ替わっており、現在アクティブである第２表示領域５７の画像と基準画像表示領域５５の画像とを比較して画像検定を行うことができる。なお、基準画像表示領域５５の位置を入れ替えるために、例えば、基準画像表示領域５５がアクティブであるときに右側の切り替えボタン６７ｂをクリックする、基準画像表示領域５５を第１表示領域５６の右側までドラッグする、インジケータ６６をドラッグ移動する、等の方法を用いることができる。
【００４５】
また、基準画像表示領域５５を複数設けることで、全ての表示領域を基準画像表示領域５５と隣接させることができる。図８に示す例では、第１〜第３表示領域５６〜５８の間に、２つの基準画像表示領域５５が設けられている。また、基準画像表示領域５５の表示位置を容易に視認可能とするために、各基準画像表示領域５５の上側にはインジケータ６６が表示される。もちろん、基準画像表示領域５５の表示位置の組み合わせは、図８で示す例に限定されることはない。
【００４６】
さらに、図９に示すように、ある表示領域（図９の例では第２表示領域５７）に対応する補正パラメータの値を一覧表示する情報ウインドウ８０を表示しても良い。この情報ウインドウ８０は、例えば、第２表示領域５７内でカーソル４７が一定時間停止した場合や、第２表示領域５７内でクリック操作された場合に表示することができる。これにより、各表示領域に対応する補正パラメータの値を確認することができる。なお、複数の表示領域のそれぞれに情報ウインドウを同時に表示しても良い。
【００４７】
上記実施形態では、領域表示バー６３やインジケータ６６がメイン表示部５１の上方に設けられているが、これらをメイン表示部５１の下部に表示しても良い。また、上記実施形態では、各表示領域５５〜５９が図中左右方向に並べて表示されているが、これらを図中上下方向に並べて表示しても良い。さらに、上記実施形態では、各表示領域５５〜５９での表示幅をほぼ同じにしているが、それぞれ表示幅を異ならせても良い。
【００４８】
上記実施形態では、メイン表示領域５１内に５つの同一画像を並べて表示しているが、並べて表示される画像をの数は適宜変更しても良い。また、キーボード３２やマウス３３を操作してコマンド入力することで、表示領域の数を増減させても良い。
【００４９】
上記実施形態では、汎用型のコンピュータに画像補正用プログラムをインストールすることで、画像補正用ＰＣ３０を構成しているが、専用の画像補正回路や現像処理回路などが組み込まれた専用型のコンピュータを用いても良い。
【００５０】
上記実施形態では、原画像データに画像補正を行い、表示用データに変換してモニタに表示する例を説明しているが、本発明は、表示用画像データ（例えば、Tiff形式、ビットマップ形式やＪＰＥＧ形式のデータ）に画像補正を施して再生表示する場合においても、同様に適用することができる。
【図面の簡単な説明】
【００５１】
【図１】デジタルカメラと画像補正用ＰＣの構成を概略的に示すブロック図である。
【図２】第１補正画面を表す説明図である。
【図３】スプリット補正用の第２補正画面を表す説明図である。
【図４】スプリット検定による画像補正の手順を示すフローチャートである。
【図５】第２補正画面の一例を表す説明図である。
【図６】表示画像を拡大した第２補正画面の例を示す説明図である。
【図７】基準画像表示領域の位置を変えた第２補正画面の例を示す説明図である。
【図８】基準画像表示領域を複数設けた第２補正画面の例を示す説明図である。
【図９】補正パラメータの値を示す情報ウインドウが表示された第２補正画面の例を示す説明図である。
【符号の説明】
【００５２】
１０  デジタルカメラ
３０  画像補正用ＰＣ
４０  第１補正画面
５０  第２補正画面
５１  メイン表示部
５２  サブ表示部
５５  基準画像表示領域
５６〜５９  第１〜第４表示領域
６１  フレーム
６３  領域表示バー
６６  インジケータ
【図１】
2005275977.tif 000003
【図２】
2005275977.tif 000004
【図３】
2005275977.tif 000005
【図４】
2005275977.tif 000006
【図５】
2005275977.tif 000007
【図６】
2005275977.tif 000008
【図７】
2005275977.tif 000009
【図８】
2005275977.tif 000010
【図９】
2005275977.tif 000011